(57)【特許請求の範囲】
【請求項１】
コンセント側環状部を表面に備えたコンセントに接続される、プラグ側固定部環状部を表面に備えたプラグと、
電子機器側環状部を表面に備えた受電部を含む電子機器に接続される、ソケット側固定部環状部を表面に備えたソケットと、
一端が前記プラグに他端が前記ソケットに接続され、電力導線と切断防止ワイヤとを内蔵するケーブルと
を含み、
前記コンセント側環状部は、前記コンセントの表面に略平行な方向に貫通した穴が空いている突起、または、前記コンセントの表面に略平行な方向に貫通した穴の外周を前記コンセントと共に構成する突起であり、
前記プラグ側固定部環状部は、前記プラグの表面に略平行な方向に貫通した穴が空いている突起、または、前記プラグの表面に略平行な方向に貫通した穴の外周を前記プラグと共に構成する突起であり、
前記電子機器側環状部は、前記受電部の表面に略平行な方向に貫通した穴が空いている突起、または、前記受電部の表面に略平行な方向に貫通した穴の外周を前記受電部と共に構成する突起であり、
前記ソケット側固定部環状部は、前記ソケットの表面に略平行な方向に貫通した穴が空いている突起、または、前記ソケットの表面に略平行な方向に貫通した穴の外周を前記ソケットと共に構成する突起であり、
前記プラグを前記コンセントに接続した状態で、前記コンセント側環状部の穴と前記プラグ側固定部環状部の穴に共に挿通する、施錠された第１の錠前の第１の掛け金により、前記プラグは前記コンセントから引き抜きできないように固定され、
前記ソケットを前記受電部に接続した状態で、前記電子機器側環状部の穴と前記ソケット側固定部環状部の穴に共に挿通する、施錠された第２の錠前の第２の掛け金により、前記ソケットは前記受電部から引き抜きできないように固定される
電源ケーブル。
【請求項２】
前記プラグを前記コンセントに接続した状態で、前記プラグ側固定部環状部が外周の一部又は全部を構成する前記穴は、前記コンセント側環状部が外周の一部又は全部を構成する前記穴に隣接し、
前記ソケットを前記受電部に接続した状態で、前記ソケット側固定部環状部が外周の一部又は全部を構成する前記穴は、前記電子機器側環状部が外周の一部又は全部を構成する前記穴に隣接する
請求項１に記載の電源ケーブル。
【請求項３】
請求項１又は２に記載の電源ケーブルと、
前記電子機器側環状部を備えた受電部を含む電子機器と、
前記コンセント側環状部を備えたコンセントと
を含む電源ケーブルシステム。
【請求項４】
施錠によって形成される環状部を含み、前記環状部の少なくとも一部を構成する前記第１の掛け金を含む前記第１の錠前と、
施錠によって形成される環状部を含み、前記環状部の少なくとも一部を構成する前記第２の掛け金を含む前記第２の錠前と
を含み、
前記第１の掛け金は、前記コンセント側環状部の穴と前記プラグ側固定部環状部の穴に共に挿通して、前記プラグを前記コンセントから引き抜きできないように固定し、
前記第２の掛け金は、前記電子機器側環状部の穴と前記ソケット側固定部環状部の穴に共に挿通して、前記ソケットを前記受電部から引き抜きできないように固定する
請求項３に記載の電源ケーブルシステム。
【請求項５】
請求項１又は２に記載の電源ケーブルの、
前記プラグを前記コンセントに接続した状態で、前記コンセント側環状部の穴と前記プラグ側固定部環状部の穴に共に挿通する、施錠された前記第１の錠前の前記第１の掛け金により、前記プラグを前記コンセントから引き抜きできないように固定し、
前記ソケットを前記受電部に接続した状態で、前記電子機器側環状部の穴と前記ソケット側固定部環状部の穴に共に挿通する、施錠された前記第２の錠前の前記第２の掛け金により、前記ソケットを前記受電部から引き抜きできないように固定する
盗難防止方法。
【発明の詳細な説明】
【技術分野】
【０００１】
本発明は、電源ケーブル、電子機器、コンセント、電源ケーブルシステム、盗難防止方法に関し、特に、電子機器の盗難リスクを低減する電源ケーブル、電子機器、コンセント、電源ケーブルシステム、盗難防止方法に関する。
【背景技術】
【０００２】
盗難防止のために、電子機器（例、ＰＣ（Ｐｅｒｓｏｎａｌ  Ｃｏｍｐｕｔｅｒ））にセキュリティワイヤを取り付けることが行われている。具体的には、ＰＣ設置者がセキュリティワイヤの一端を電子機器に取り付け、他端をＰＣを設置する机等に取り付けることによりＰＣの盗難を防止する。ここで、セキュリティワイヤは、ＰＣ設置者がＰＣとセキュリティワイヤを別手配により購入するため、ＰＣ設置者がＰＣ設置と同時にセキュリティワイヤを取り付けできないことがあり、取り付け管理漏れが発生するという問題点がある。
【０００３】
このような問題点を解決する技術が特許文献１，２に記載されている。特許文献１は、電子機器の盗難防止と運搬時の可搬性向上のために、使用時は、コンセントに刃を差込み、その後それらをずらすことよって刃を変形させ刃受穴から容易には抜けない形状にする発明を開示している。
【０００４】
特許文献２は、電子機器の安定した電力の供給と盗難等のセキュリティ対応を可能にするための電源ケーブルを開示している。特許文献２の電源ケーブルは、コネクタとプラグとを電気的に結合する電源コードと、電源コードの全部もしくは一部と一体的に構成されるとともに、コネクタに掛け廻す拘束ケーブルとを備えている。拘束ケーブルは還部を備え、机の穴に潜らせた還部にコネクタを潜らせることにより電子機器の盗難を防止する。
【０００５】
また、特許文献２の電源ケーブルは、拘束ケーブルのコネクタ側の端部に固定されるとともに、コネクタがインレットから引き抜きできないように電子機器本体に固定するロック部とを備えている。
【０００６】
【特許文献１】特開平５−１４３１９４号公報
【特許文献２】特開２００５−２３５５７０号公報
【発明の開示】
【発明が解決しようとする課題】
【０００７】
しかしながら、上述した特許文献１，２に記載の発明は以下のような問題点があった。
【０００８】
特許文献１に記載の発明は、電源ケーブルを切断することにより、電子機器が盗まれる恐れがあるという問題点があった。
【０００９】
特許文献２に記載の発明は、電源ケーブルから分岐した拘束ケーブルの還部を机の穴に潜らせ、その還部にコネクタを潜らせる作業が必要である。机に適当な穴がなかった等の理由でこの作業を行わないという管理上のミスが発生した場合、特許文献２に記載の発明は電子機器が盗まれる恐れがあるという問題点があった。
【００１０】
本発明は、容易な管理の下、電子機器の盗難リスクを低減することができる電源ケーブル、電子機器、コンセント、電源ケーブルシステム、盗難防止方法を提供する。
【課題を解決するための手段】
【００１１】
本発明の電源ケーブルは、コンセントに接続されるプラグと、電子機器に接続されるソケットと、一端がプラグに他端がソケットに接続され、電力導線と切断防止ワイヤとを内蔵するケーブルとを含み、プラグは、プラグをコンセントから引き抜きできないように固定するプラグ側固定部を含み、ソケットは、ソケットを電子機器から引き抜きできないように固定するソケット側固定部を含む。
【００１２】
本発明の電子機器は、コンセントから引き抜きできないように固定するプラグ側固定部を含むコンセントに接続されるプラグと、一端がプラグに他端がソケットに接続され、電力導線と切断防止ワイヤとを内蔵するケーブルとを含む電源ケーブルのソケットと接続され、ソケットを引き抜きできないように固定する電子機器側固定部を含む。
【００１３】
本発明のコンセントは、電子機器から引き抜きできないように固定するソケット側固定部を含む電子機器に接続されるソケットと、一端がプラグに他端がソケットに接続され、電力導線と切断防止ワイヤとを内蔵するケーブルとを含む電源ケーブルのプラグと接続され、プラグを引き抜きできないように固定するコンセント側固定部を含む。
【００１４】
本発明の電源ケーブルシステムは、コンセントに接続されるプラグと、電子機器に接続されるソケットと、一端がプラグに他端がソケットに接続され、電力導線と切断防止ワイヤとを内蔵するケーブルとを含み、プラグは、プラグをコンセントから引き抜きできないように固定するプラグ側固定部を含み、ソケットは、ソケットを電子機器から引き抜きできないように固定するソケット側固定部を含む電源ケーブルと、ソケットを引き抜きできないように固定する電子機器側固定部を含む電子機器と、プラグを引き抜きできないように固定するコンセント側固定部を含むコンセントとを含む。
【００１５】
本発明の盗難防止方法は、コンセントに接続されるプラグと、電子機器に接続されるソケットと、一端がプラグに他端がソケットに接続され、電力導線と切断防止ワイヤとを内蔵するケーブルとを含む電源ケーブルにおいて、プラグを、プラグをコンセントから引き抜きできないように固定し、ソケットを、ソケットを電子機器から引き抜きできないように固定する。
【発明の効果】
【００１６】
本発明は、容易な管理の下、電子機器の盗難リスクを低減することができる。
【発明を実施するための最良の形態】
【００１７】
まず、本発明の概略を説明する。図１は、本発明の概略構成を示す図である。（ａ）は、コンセント１８０の構成を示す図である。（ｂ）は、電源ケーブル００１の構成を示す図である。（ｃ）は、電子機器１００の構成を示す図である。（ｄ）は、ケーブル１０３の内部構造を示す図である。
【００１８】
本発明の電源ケーブル００１は、コンセント１８０に接続されるプラグ１３１と、電子機器１００に接続されるソケット１３２とを含む。そして、電源ケーブル００１は、一端がプラグ１３１に他端がソケット１３２に接続され電力導線０５０と、切断防止ワイヤ０４０とを内蔵するケーブル１０３とを含む。プラグ１３１は、プラグ１３１をコンセント１８０から引き抜きできないように固定するプラグ側固定部０２１を含み、ソケット１３２は、ソケットを電子機器１００から引き抜きできないように固定するソケット側固定部０３１を含む。
【００１９】
一方、コンセント１８０は、プラグ１３１を引き抜きできないように固定するコンセント側固定部１８１を含む。電子機器１００は、ソケット１３２を引き抜きできないように固定する電子機器側固定部１８２を含む。
【００２０】
上記構成を含むことにより、本発明は、容易な管理の下、電子機器１００の盗難リスクを低減することができる。その理由は、本発明の電源ケーブル００１は、電源ケーブル００１に切断防止ワイヤ０４０を内蔵し、電源ケーブル００１の両端がコンセント１８０及び電子機器１００に固定可能であるためである。
【００２１】
次に、本発明の実施の形態について図面を参照して詳細に説明する。
【００２２】
図２は、電源ケーブル００１の使用環境例を示す図である。この使用環境例は、ＰＣ筐体１０１と、電源ケーブル００１と、電源タップ１０５と、ディスプレイ３０１と、キーボード３０２と、机３０３とを含む。電源ケーブル００１は、プラグ１３１とソケット１３２とを含み、電源タップ１０５とＰＣ筐体１０１に接続される。
【００２３】
本実施の形態では、上述のコンセント１８０の例として電源タップ１０５を示す。勿論、ＰＣ設置者は、電源ケーブル００１を、電源タップ１０５を介さずに直接壁面等に固定されているコンセント１８０に接続してもよい。尚、電源タップ１０５のケーブルは、後述するように施錠可能な蓋が設けられた分電盤（図示せず）に固定されている。次に、ＰＣ筐体１０１と電源ケーブル００１と電源タップ１０５とを順に説明する。
【００２４】
図３は、ＰＣ筐体側受電部１１１の構成を示す図である。（ａ）は、ＰＣ筐体１０１背面の構成を示す。（ｂ）は、正面から見たＰＣ筐体側受電部１１１の構成を示す図である。（ｃ）は、側面から見たＰＣ筐体側受電部１１１の構成を示す図である。（ａ）（ｂ）に示すように、ＰＣ筐体１０１はその背面にＰＣ筐体側受電部１１１を含む。ＰＣ筐体側受電部１１１は、凹部１１６と、角型環状突起１０７とを含む。
【００２５】
凹部１１６は、ソケット１３２の凸部１３４が挿入される穴であり、内部に電源端子１１７を含む。
【００２６】
角型環状突起１０７は、角型の突起である。角型環状突起１０７は、後述の掛け金（鍵１０８）を挿通可能な穴を含む。本実施の形態では角型の突起を例として示したが、角型環状突起１０７は、角型である必要はなく、丸型等の環状突起でもよい。そのため、角型環状突起１０７は、電子機器側環状部と呼ぶことができる。角型環状突起１０７は、凹部１１６の近傍に配置される。角型環状突起１０７のより具体的な位置、大きさは、後述の図６（ｆ）に示すように、ＰＣ筐体側受電部１１１の角型環状突起１０７とソケット１３２の角型環状突起１１４とが接触若しくは隙間を保って隣接する位置、大きさとする。同様に、後述する角型環状突起１１４，１５１，１６１の位置大きさは、隣接する角型環状突起１０７，１１４，１５１，１６１とが接触若しくは隙間を保って隣接する位置、大きさとする。
【００２７】
ソケット１３２とＰＣ筐体側受電部１１１が接続された場合、角型環状突起１０７はソケット１３２の角型環状突起１１４と共に掛け金（図６（ｂ）に示す鍵１０８）が掛けられ、ソケット１３２は引き抜きできないように固定される。そのため、角型環状突起１０７（電子機器側環状部）は、電子機器側固定部１８２の一例である。説明のため、角型環状突起１０７は、側面１１２を図３（ｂ）に示す位置（ＰＣ筐体１０１の背面と平行方向）に持つものと定義する。
【００２８】
図４、図５は、電源ケーブル００１の構成の詳細を示す図である。(ａ）は、電源ケーブル００１の全体構成の詳細を示す図である。（ｂ）は、４方向から見た場合のソケット１３２の構成を示す図である。
【００２９】
電源ケーブル００１は、プラグ１３１と、ケーブル１０３と、ソケット１３２とを含む。プラグ１３１は、端子１６３と、角型環状突起１６１とを含む。プラグ１３１については、図５にて詳述する。
【００３０】
ソケット１３２は、凸部１３４と、角型環状突起１１４とを含む。凸部１３４は、角型環状突起１１４は、ソケット１３２の側面１１３に配置される。角型環状突起１１４は、角型の突起である。角型環状突起１１４は、後述の掛け金（鍵１０８）を挿通可能な穴を含む。本実施の形態では角型の突起を例として示したが、角型環状突起１１４は、角型である必要はなく、丸型等の環状突起でもよい。そのため、角型環状突起１１４は、ソケット側固定部環状部と呼ぶことができる。ソケット１３２とＰＣ筐体側受電部１１１とが接続された場合、角型環状突起１１４はＰＣ筐体側受電部１１１の角型環状突起１０７と共に掛け金（鍵１０８）が掛けられ、ソケット１３２は引き抜きできないように固定される。そのため、角型環状突起１１４（ソケット側固定部環状部）は、ソケット側固定部０３１の一例である。角型環状突起１１４は、端面１１５を図４（ａ）に示す位置（ソケット１３２の凸部１３４が延出している方向）に持つものと定義する。
【００３１】
図５（ａ）は、ケーブル１０３の内部構造を示す図である。（ｂ）は、４方向から見た場合のプラグ１３１の構成を示す図である。
【００３２】
ケーブル１０３は、一端がプラグ１３１に他端がソケット１３２に接続される。ケーブル１０３は、その内部に、ワイヤ１７１と、電力導線１７２と、被覆１７３とを含む。ワイヤ１７１は、高度が高い材質（例、ステンレス）のワイヤであり、前述の切断防止ワイヤ０４０の一例である。電力導線１７２は、電力を導通する銅線である。本実施の形態では電力導線１７２が２本の例を示す。被覆１７３により、２本の電力導線１７２とワイヤ１７１は相互に絶縁されている。又、被覆１７３は、絶縁機能及び外部からの外圧及び衝撃に対してケーブル１０３の強度を保つ機能を持つ。
【００３３】
プラグ１３１は、角型環状突起１６１と、端子１６３とを含む。角型環状突起１６１は、プラグ１３１の側面に配置される。角型環状突起１６１は、角型の突起であり後述の掛け金（鍵１０９）を挿通可能な穴を含む。本実施の形態では角型の突起を例として示したが、角型環状突起１６１は、角型である必要はなく、丸型等の環状突起でもよい。そのため、角型環状突起１６１は、プラグ側固定部環状部と呼ぶことができる。プラグ１３１と電源タップ１０５が接続された場合、角型環状突起１６１は電源タップ１０５の角型環状突起１５１と共に掛け金（鍵１０９）が掛けられ、プラグ１３１は引き抜きできないように固定される。そのため、角型環状突起１６１（プラグ側固定部環状部）は、プラグ側固定部０２１の一例である。角型環状突起１６１は、端面１６２を（ｂ）に示す位置（プラグ１３１の端子が延出している方向）に持つものと定義する。
【００３４】
図６は、ＰＣ筐体側受電部１１１と電源ケーブル００１のソケット１３２とを接続したときの施錠構成を示す図である。（ａ）は上面から、（ｂ）は側面から、(ｃ)は(ｂ)の反対側面から見た場合の施錠構成を示す図である。（ｄ）は、ソケット１３２の斜視図、（ｅ）は、ＰＣ筐体側受電部１１１の斜視図、（ｆ）は、ＰＣ筐体側受電部１１１とソケット１３２とを接続したときの施錠構成を示す斜視図である。
【００３５】
（ａ）（ｂ）（ｃ）に示すように、ＰＣ筐体側受電部１１１の凹部１１６にソケット１３２の凸部１３４が挿入されることにより、電気的、機械的にソケット１３２はＰＣ筐体側受電部１１１に接続される。このとき、本実施の形態では（ｂ）（ｆ）に示すように、ＰＣ筐体側受電部１１１の角型環状突起１０７とソケット１３２の角型環状突起１１４とが接触若しくは隙間を保って隣接している。即ち、図３（ｂ）に示す角型環状突起１０７の端面１１２と図４（ａ）に示す角型環状突起１１４の端面１１５とが接触若しくは隙間を保って隣接している。そして、角型環状突起１０７と角型環状突起１１４は共に鍵１０８が掛けられる。尚、本実施の形態では掛け金として施錠後に開錠可能な鍵１０８を示したが、施錠後は永久固定されるリング等を用いてもよい。
【００３６】
図７は、本発明の実施の形態に係る電源タップ１０５の構成を示す図である。電源タップ１０５は、ソケット１５３と、角型環状突起１５１と、ケーブル１７０とを含む。ソケット１５３は複数存在し、１つのソケット１５３に対し複数の角型環状突起１５１が電源タップ１０５に配置される。ソケット１５３は、コンセント１８０（本実施の形態では、電源タップ１０５）に設けられているため、コンセント側ソケットと呼ぶことができる。
【００３７】
図７の例では、角型環状突起１５１は、ソケット１５３を挟むようにソケット１５３に隣接した位置に２つ配置される。角型環状突起１５１は、角型の突起である。本実施の形態では角型の突起を例として示したが、角型環状突起１５１は、角型である必要はなく、丸型等の環状突起でもよい。そのため、角型環状突起１５１は、コンセント側環状部と呼ぶことができる。角型環状突起１５１は、後述の掛け金（鍵１０９）を挿通可能な穴を含む。
【００３８】
角型環状突起１５１は、端面１５２を図７に示す位置（電源タップ１０５のソケット１５３が存在する面と平行な位置）に持つものと定義する。ケーブル１７０は、図５（ａ）に示すケーブル１０３と同様に、ワイヤ１７１と、電力導線１７２と、被覆１７３とを含む。ケーブル１７０は一端が電源タップ１０５本体と接続され、他端は、システムの分電盤（図示せず）に接続される。分電盤は施錠可能な蓋を備え、ケーブル１７０を容易に引き抜くことはできないものとする。又、分電盤のソケットが角型環状突起を備え、ケーブル１７０の当該他端のプラグが角型環状突起を備え、鍵が両者を固定してもよい。
【００３９】
図８は、電源タップ１０５と電源ケーブル００１とを接続したときの施錠構成を示す図である。図８に示すように、電源タップ１０５のソケット１５３の穴にプラグ１３１の端子１６３が挿入されることにより、電気的、機械的にプラグ１３１は電源タップ１０５に接続される。このとき、本実施の形態では、電源タップ１０５の角型環状突起１５１とプラグ１３１の角型環状突起１６１とが接触若しくは隙間を保って隣接している。即ち、図５（ｂ）に示す角型環状突起１６１の端面１６２と図７に示す角型環状突起１５１の端面１５２とが接触若しくは隙間を保って隣接している。そして、角型環状突起１６１と角型環状突起１５１とは共に鍵１０９が掛けられ、プラグ１３１は引き抜きできないように固定される。そのため、角型環状突起１５１は、コンセント側固定部１８１の一例である。尚、本実施の形態では掛け金として施錠後に開錠可能な鍵１０９を示したが、施錠後は永久固定されるリング等を用いてもよい。
【００４０】
次に、本発明の実施の形態の効果について説明する。
【００４１】
本実施の形態は、容易な管理の下、電子機器１００の盗難リスクを低減することができる。
【００４２】
その理由は、本実施の形態の電源ケーブル００１は、コンセント１８０に接続されるプラグ１３１と、電子機器１００に接続されるソケット１３２とを含む。そして、電源ケーブル００１は、一端がプラグ１３１に他端がソケット１３２に接続され電力導線０５０と切断防止ワイヤ０４０とを内蔵するケーブル１０３とを含む。そして、プラグ１３１は、プラグ１３１をコンセント１８０から引き抜きできないように固定するプラグ側固定部０２１を含み、ソケット１３２は、ソケット１３２を電子機器１００から引き抜きできないように固定するソケット側固定部０３１を含むためである。
【００４３】
即ち、本実施の形態の電源ケーブル００１は、電源ケーブル００１に高度が高い材質のワイヤ１７１を内蔵し、電源ケーブル００１の両端がコンセント１８０及び電子機器１００に固定可能であるためである。
【００４４】
また、本実施の形態は、電子機器１００、机３０３等の周囲の煩雑化を防止することができる。特許文献２に記載の発明は、電源ケーブル００１から分岐した拘束ケーブルの還部を机の穴に潜らせることにより電子機器１００、机３０３等の周囲が煩雑化するという問題点があった。これに対し、本実施の形態は、拘束ケーブルの還部を机３０３の穴に潜らせるのではなく、プラグ１３１に、コンセント１８０に含まれるコンセント側環状部（角型環状突起１５１）と共に掛け金を掛けられるプラグ側固定部環状部（角型環状突起１６１）を含む。また、本実施の形態は、ソケット１３２に、電子機器１００に含まれる電子機器側環状部（角型環状突起１０７）と共に掛け金を掛けられるソケット側固定部環状部（角型環状突起１１４）を含む。
【００４５】
即ち、本実施の形態は、電源ケーブル００１から分岐した拘束ケーブルを用いることなく、ほぼ通常の電源ケーブルと同様の構成を有するプラグ１３１とソケット１３２を含む電源ケーブル００１で両端の固定を行い電子機器１００の盗難リスクを低減している。そのため、本実施の形態は、電子機器１００、机３０３等の周囲が煩雑化を防止することができる。
【００４６】
また、本実施の形態は、時代によって変化する盗難レベルに併せて、盗難リスクを低減することができる。
【００４７】
その理由は、本実施の形態は、コンセント１８０に含まれるコンセント側環状部（角型環状突起１５１）と共に掛け金を掛けられるプラグ側固定部環状部（角型環状突起１６１）を含むためである。そして、本実施の形態は、ソケット１３２に、電子機器１００に含まれる電子機器側環状部（角型環状突起１０７）と共に掛け金を掛けられるソケット側固定部環状部（角型環状突起１１４）とを含むためである。即ち、本実施の形態は、掛け金として市販で購入可能であり時代によって進化する鍵１０８，１０９（例、南京錠）を使用できるためである。
【００４８】
また、本実施の形態は、電子機器１００に保存していた重要データの破壊等を防止できる。例えば、特許文献２に記載の発明は、コンセント１８０からプラグ１３１を容易に取外し可能なため、人為ミスによるプラグ１３１取り外しによって、ＰＣに保存していた重要データの破壊や最悪の場合システムの破壊が生じるという問題点があった。
【００４９】
これに対し、本実施の形態は、プラグ１３１に、コンセント１８０に含まれるコンセント側環状部（角型環状突起１５１）と共に掛け金を掛けられるプラグ側固定部環状部（角型環状突起１６１）を含む。これにより、本実施の形態は、コンセント１８０からプラグ１３１を容易に取り外しができないため、上記重要データの破壊等を防止できる。
【００５０】
また、本実施の形態は、コンセント１８０が複数のソケット１５３を含み、複数のプラグ１３１が接続された場合にも、容易にプラグ１３１をコンセント１８０から引き抜きできないように固定することできる。
【００５１】
その理由は、コンセント１８０（電源タップ１０５）は、１つのソケット１５３に対し複数配置される角型環状突起１５１を含むためである。即ち、隣接するソケットに第１のプラグ１３１が挿入され、ソケット間の角型環状突起１５１が既に使用されている場合は、第２のプラグ１３１は別の（反対側の）角型環状突起１５１を使用することができる。
【００５２】
次に、本発明の実施の形態の変形例について説明する。
【００５３】
本実施の形態では、ＰＣ筐体１０１に対し電源ケーブル００１を接続する例を示した。この他のＰＣ以外の機器、筐体においても、ＰＣ筐体１０１と同様な角型環状突起を付加し、電源ケーブル００１の角型環状突起１１４と共に施錠できる構造とすることにより機器の盗難リスクを低減することができる。
【図面の簡単な説明】
【００５４】
【図１】本発明の概略構成を示す図である。
【図２】電源ケーブル００１の使用環境例を示す図である。
【図３】ＰＣ筐体側受電部１１１の構成を示す図である。
【図４】電源ケーブルの構成の詳細を示す図である。
【図５】電源ケーブルの構成の詳細を示す図である。
【図６】ＰＣ筐体側受電部１１１と電源ケーブル００１のソケット１３２とを接続したときの施錠構成を示す図である。
【図７】電源タップ１０５の構成を示す図である。
【図８】電源タップ１０５と電源ケーブル００１とを接続したときの施錠構成を示す図である。
【符号の説明】
【００５５】
００１    電源ケーブル
０２１    プラグ側固定部
０３１    ソケット側固定部
０４０    切断防止ワイヤ
０５０    電力導線
１００    電子機器
１０１    ＰＣ筐体
１０３    ケーブル
１０５    電源タップ
１０７    角型環状突起
１０８    鍵
１０９    鍵
１１１    ＰＣ筐体側受電部
１１２    端面
１１３    側面
１１４    角型環状突起
１１５    端面
１１６    凹部
１１７    電源端子
１３１    プラグ
１３２    ソケット
１３４    凸部
１５１    角型環状突起
１５２    端面
１５３    ソケット
１６１    角型環状突起
１６２    端面
１６３    端子
１７０    ケーブル
１７１    ワイヤ
１７２    電力導線
１７３    被覆
１８０    コンセント
１８１    コンセント側固定部
１８２    電子機器側固定部
３０１    ディスプレイ
３０２    キーボード
３０３    机
【図１】
0004921414.tif 000002
【図２】
0004921414.tif 000003
【図３】
0004921414.tif 000004
【図４】
0004921414.tif 000005
【図５】
0004921414.tif 000006
【図６】
0004921414.tif 000007
【図７】
0004921414.tif 000008
【図８】
0004921414.tif 000009